(57)【要約】【課題】複数の設置可能形態のそれぞれに応じたアンテナの方向の最適化が容易な無線装置と、無線ＬＡＮルータ装置と、そのアンテナ方向設定方法とを提供する。【解決手段】無線装置または無線ＬＡＮルータ装置の設置形態を、スタンドの接続状況または鉛直方向に対する設置角度を介して検出する。検出された設置形態に対応する最適なアンテナ方向を予め記憶しておき、その方向に設定する。ここで、アンテナは可動式であっても良いし、複数の固定式アンテナを切り換えても良い。【選択図】図３
2010021679.tif 000002
【特許請求の範囲】
【請求項１】
複数の設置可能形態を有する無線装置であって、
前記無線装置の設置形態を検出する設置形態検出部と、
方向によって異なる特性を有するアンテナ部と、
前記アンテナ部の方向を設定するためのアンテナ方向設定部と、
前記検出された設置形態に応じて、前記アンテナ部の方向を最適化するための制御部と
を具備し、
前記制御部は、
前記複数の設置可能形態のそれぞれに対応する、前記アンテナ部の最適な方向に係る情報を記憶するテーブル
を具備する
無線装置。
【請求項２】
請求項１に記載の無線装置において、
前記設置形態検出部は、
前記無線装置を設置するためのスタンドを接続され、前記スタンドの接続状態を検出する複数のスタンド検出部
を具備し、
前記複数のスタンド検出部は、前記検出されたスタンドの接続状態に対応する設置形態検出信号を出力する
無線装置。
【請求項３】
請求項１に記載の無線装置において、
前記設置形態検出部は、
鉛直方向に対する角度を検出し、前記検出された角度に対応する設置形態検出信号を出力する角度センサー
を具備する
無線装置。
【請求項４】
請求項２または３に記載の無線装置において、
前記アンテナ方向設定部は、
前記設置形態検出信号に基づいて、前記アンテナ部の方向を変更するためのサーボ
を具備する
無線装置。
【請求項５】
請求項２または３に記載の無線装置において、
前記設置形態検出信号に基づいて、前記アンテナ部の最適な方向を、通知するための信号を外部に無線で送信する
無線装置。
【請求項６】
請求項１〜５のいずれかに記載の無線装置において、
前記アンテナ部は、
少なくとも１つの可動式アンテナ
を具備し、
前記アンテナ特性設定部は、
前記少なくとも１つの可動式アンテナの方向を変更するアンテナ方向変更部
を具備する
無線装置。
【請求項７】
請求項１〜５のいずれかに記載の無線装置において、
前記アンテナ部は、
方向が異なる複数の固定式アンテナ
を具備し、
前記アンテナ方向設定部は、
前記複数の固定式アンテナを切り換えるためのアンテナ切換スイッチ
を具備する
無線装置。
【請求項８】
請求項１〜７のいずれかに記載の無線装置
を具備する
無線ＬＡＮルータ装置。
【請求項９】
（ａ）複数の設置可能形態を有する無線装置の設置形態を検出するステップと、
（ｂ）前記ステップ（ａ）で検出された前記無線装置の設置形態に応じて、前記無線装置のアンテナ部を最適な方向に設定するステップと
を具備し、
前記ステップ（ｂ）は、
（ｂ−１）前記無線装置が有するテーブルから、前記複数の設置可能形態のそれぞれに対応する、前記アンテナ部の最適な方向に係る情報を得るステップ
を具備する
アンテナ方向設定方法。
【請求項１０】
請求項９に記載のアンテナ方向設定方法において、
前記ステップ（ａ）は、
（ａ−１）前記無線装置を設置するためのスタンドを、前記無線装置が有する複数のスタンド検出部のうち少なくとも１つに接続するステップと、
（ａ−２）前記スタンドの、前記複数のスタンド検出部における接続状態を検出するステップと、
（ａ−３）前記検出されたスタンドの接続状態に対応する設置形態検出信号を出力するステップと
を具備する
アンテナ方向設定方法。
【請求項１１】
請求項９に記載のアンテナ方向設定方法において、
前記ステップ（ａ）は、
（ａ−４）前記無線装置を、鉛直方向に対する任意の角度に設置するステップと、
（ａ−５）前記無線装置の、鉛直方向に対する前記任意の角度を検出するステップと、
（ａ−６）前記検出された角度に対応する設置形態検出信号を出力するステップと
を具備する
アンテナ方向設定方法。
【請求項１２】
請求項１０または１１に記載のアンテナ方向設定方法において、
前記ステップ（ｂ）は、
（ｂ−２）前記設置形態検出信号に基づいて前記アンテナ部の方向を変更するステップ
をさらに具備する
アンテナ方向設定方法。
【請求項１３】
請求項１０または１１に記載のアンテナ方向設定方法において、
前記ステップ（ｂ）は、
（ｂ−３）前記設置形態検出信号に基づいて、前期アンテナ部の最適な方向を通知するための信号を外部に無線で送信するステップ
をさらに具備する
アンテナ方向設定方法。
【請求項１４】
請求項９〜１３のいずれかに記載のアンテナ方向設定方法において、
前記ステップ（ｂ）は、
（ｂ−４）少なくとも１つの可動式アンテナの方向を変更するステップ
をさらに具備する
アンテナ方向設定方法。
【請求項１５】
請求項９〜１３のいずれかに記載のアンテナ方向設定方法において、
前記ステップ（ｂ）は、
（ｂ−５）前記無線装置が有する複数の固定式アンテナの接続を切り換えるステップ
をさらに具備する
アンテナ方向設定方法。
【発明の詳細な説明】
【技術分野】
【０００１】
本発明は、無線装置と、この無線装置による無線ＬＡＮルータ装置と、この無線装置におけるアンテナ方向設定方法とに係り、特に、固定型の無線装置と、この無線装置による無線ＬＡＮルータ装置と、この無線装置におけるアンテナ方向設定方法とに係る。
【背景技術】
【０００２】
複数の設置可能形態の中から、スタンドなどを利用することで任意の設置形態を選択可能な無線装置が知られている。
【０００３】
図１は、スタンド１７を利用することで据置きと壁掛けとが可能な無線装置１０を、据置きにした場合の図である。図１（ａ）は、無線装置１０の俯瞰図である。図１（ｂ）は、無線装置１０の側面図である。
【０００４】
図２は、スタンド１７を利用することで据置きと壁掛けとが可能な無線装置１０を、壁掛けにした場合の図である。図２（ａ）は、無線装置１０の俯瞰図である。図２（ｂ）は、無線装置１０の側面図である。
【０００５】
このように、複数の設置可能形態が用意されている無線装置１０では、それぞれの設置可能形態に合わせてアンテナ１１１の方向を最適化可能な場合がある。ここで、アンテナ１１１の方向における設定方法について特に指定が無ければ、無線通信に詳しくない一般のユーザは、据置きにする場合でも、壁掛けにする場合でも、アンテナ１１１を鉛直に立てる傾向がある。
【０００６】
しかし、アンテナ１１１を鉛直に立てると、アンテナ１１１の特性が劣化する場合がある。特に、図２のように無線装置１０を壁掛けにした場合、壁の材質によっては、アンテナ１１１の特性が大きく劣化する場合もある。なお、図１のように無線装置１０を据置きにした場合には、特に問題は無い。
【０００７】
さらに、無線通信に詳しくない一般のユーザは、アンテナ１１１の特性が劣化していても、アンテナ１１１の方向を変更することにまでは思いが至らず、そのままの状態で使用し続ける場合がある。
【０００８】
無線装置の中でも、無線ＬＡＮルータ装置は特に、一度設置したら固定したまま使用し続ける場合が多い。しかも、受信相手は移動型端末であることが多いので、無線ＬＡＮルータ装置を最適な形態で設置しようにも、通信相手における受信感度を確認しながら行うことの意味も薄い。したがって、特に無線ＬＡＮルータ装置では、設置形態に合わせたアンテナ特性の最適化が重要である。
【０００９】
以上に関連して、特許文献１（特開２０００−１７４５２６号公報）には、携帯電話機に係る記載が開示されている。
特許文献１に記載の携帯電話機は、電波を受信するアンテナを電話機本体に突設したものである。この携帯電話機は、アンテナを、電話機本体に対しアンテナ向き変更可能にしたことを特徴とする。
【００１０】
また、特許文献２（特開２００１−０５７０１５号公報）には、ディスク装置に係る記載が開示されている。
特許文献２に記載のディスク装置は、ディスク回転手段と、信号変換ヘッドと、ヘッド移動手段とを有する。ここで、ディスク回転手段は、スピンドルを有し、このスピンドルを中心にして記録媒体ディスクを回転させるためのものである。信号変換ヘッドは、前記ディスクに対して情報の書き込み及び／又は読み出しを行うためのものである。ヘッド移動手段は、前記信号変換ヘッドをディスクの半径方向に移動させるためのものである。このディスク装置は、方向信号発生手段と、制御手段とを備えていることを特徴とする。ここで、方向信号発生手段は、前記スピンドルが延びている方向と鉛直方向との関係又は前記信号変換ヘッドの移動方向と鉛直方向との関係を示す方向信号を発生するものである。制御手段は、前記方向信号に応答して、前記方向信号が示す方向に適合するように前記ディスク回転手段又は前記ヘッド移動手段を制御するものである。
【００１１】
また、特許文献３（実公平０７−０１３２７２号公報）には、携帯型電子機器に係る記載が開示されている。
特許文献３に記載の携帯型電子機器は、本体ケースと、上部ケースとを備える。ここで、本体ケースは、キーボードを収納するものである。上部ケースは、表示体を収納し、前記本体ケースに回動可能に接続され、前記本体ケースのフタ部となるものである。この携帯型電子機器は、ロック手段と、ロック解除手段とを有することを特徴とする。ここで、ロック手段は、前記携帯型電子機器の縦置き状態を感知し、前記上部ケースが閉じた状態で前記上部ケースが開かないようロックするものである。ロック解除手段は、前記携帯型電子機器を横置き状態を感知し、前記上部ケースの前記ロックを解除するものである。
【００１２】
また、特許文献４（特開２００４−１７３２３５号公報）には、アンテナ装置に係る記載が開示されている。
特許文献４に記載のアンテナ装置は、ボトムカバーと、アンテナケースと、アンテナベースと、角度調整機構とを備える。ここで、ボトムカバーは、天頂方向に指向性を有するアンテナ素子を収納し、該アンテナ素子が載置されるものである。アンテナケースは、アンテナ素子を覆うトップカバーとを有するものである。アンテナベースは、任意の設置面に固着されるものである。角度調整機構は、上記アンテナケース及びアンテナベースの相対的な角度を調整可能に該アンテナケース及びアンテナベースを連結するものである。
【００１３】
特許文献４に記載のアンテナ装置は、通信相手の受信強度レベルを確認した上で、自身のアンテナの方向を変更する。しかし、無線装置１０の通信相手は１つとは限らない。複数の相手と無線通信を行う場合、通信相手が変わる度にアンテナの方向を変更することは現実的ではない。
【００１４】
また、無線装置１０の通信相手が１つだけであったとしても、無線装置１０がその通信相手を検出するまでは、その通信相手の受信強度レベルは不明である。したがって、通信が開始されるまでアンテナの方向を最適化することは出来ない。アンテナの特性が劣化した状態で無線装置１０を使用する場合、無線装置１０から放射される電波のレベルが微弱となり、通信相手に電波が到達せず、無線通信が出来ない場合がある。
【００１５】
また、特許文献５（実登第３１０２２４０号公報）には、アンテナと固定台座の回転定位置構造に係る記載が開示されている。
特許文献５に記載のアンテナと固定台座の回転定位置構造は、次のことを特徴とする。すなわち、この回転定位置構造は、固定台座を備える。その固定台座は卓上またはその他固定物の上にしっかりと立てることが可能である。この回転定位置構造は、突起を備える。その突起は固定台座に突き出して設けられている。その突起の断面はＵ型に表れている。突起の一側は開放側に現れている。残りの三側は互いに連結して容置室を形成している。突起の両対応内側壁にはそれぞれ対応する枢軸孔及び円弧線溝が設けられている。この回転定位置構造は、アンテナ本体を備えている。そのアンテナ本体は長い板状のものに表れて突起の容置室に合わすことが可能である。そのアンテナ本体の一端の両対応側に枢軸及び定位置突起が設けられている。その枢軸及び定位置突起は前記突起の両対応内側壁の枢軸孔及び円弧線溝に枢設可能であることにより、アンテナ本体は前記枢軸を回転軸としている。前記突起の開放側から任意の角度に調整回転させることが可能であり、同時に前記定位置突起を通じて前記アンテナ本体を円弧線溝で移動及び定位置することが可能である。
【００１６】
【特許文献１】特開２０００−１７４５２６号公報
【特許文献２】特開２００１−０５７０１５号公報
【特許文献３】実公平０７−０１３２７２号公報
【特許文献４】特開２００４−１７３２３５号公報
【特許文献５】実登第３１０２２４０号公報
【発明の開示】
【発明が解決しようとする課題】
【００１７】
本発明の目的は、複数の設置可能形態のそれぞれに応じたアンテナの方向の最適化が容易な無線装置と、無線ＬＡＮルータ装置と、アンテナ方向設定方法とを提供することである。
【課題を解決するための手段】
【００１８】
本発明の無線装置は、複数の設置可能形態を有するものである。この無線装置は、設置形態検出部と、アンテナ部と、アンテナ方向設定部と、制御部とを具備する。ここで、設置形態検出部は、無線装置の設置形態を検出するものである。アンテナ部は、方向によって異なる特性を有するものである。アンテナ方向設定部は、アンテナ部の方向を設定するためのものである。制御部は、検出された設置形態に応じて、アンテナ部の方向を最適化するためのものである。制御部は、複数の設置可能形態のそれぞれに対応する、アンテナ部の最適な方向に係る情報を記憶するテーブルを具備する。
【００１９】
本発明のアンテナ方向設定方法は、（ａ）複数の設置可能形態を有する無線装置の設置形態を検出するステップと、（ｂ）ステップ（ａ）で検出された無線装置の設置形態に応じて、無線装置のアンテナ部を最適な方向に設定するステップとを具備する。ここで、ステップ（ｂ）は、（ｂ−１）無線装置が有するテーブルから、複数の設置可能形態のそれぞれに対応する、アンテナ部の最適な方向に係る情報を得るステップを具備する。
【発明の効果】
【００２０】
本発明によれば、無線装置または無線ＬＡＮルータ装置の設置形態を検出して、この検出結果に基づいてアンテナの方向を設定する。なお、複数の設置可能形態のそれぞれにおいて最適なアンテナ方向に係る情報を、無線装置または無線ＬＡＮルータ装置は予め内蔵している。すなわち、無線装置または無線ＬＡＮルー多装置を設置しただけでアンテナ方向を最適化出来る。
【発明を実施するための最良の形態】
【００２１】
添付図面を参照して、本発明による無線装置と、無線ＬＡＮルータ装置と、アンテナ方向設定方法とを実施するための最良の形態を以下に説明する。
【００２２】
（第１の実施形態）
本発明の第１の実施形態による無線装置１０の外形は、前述した関連技術の無線装置１０と同じであるが、再度説明する。
【００２３】
図１は、本発明の第１の実施形態における無線装置１０の概観図である。この無線装置１０は、スタンド１７を利用することで据置き状態に設置することが可能である。図１（ａ）は、この無線装置１０を据置き状態に設置した場合の俯瞰図である。図１（ｂ）は、この無線装置１０を据置き状態に設置した場合の側面図である。
【００２４】
図２は、本発明の第１の実施形態における無線装置１０の概観図である。この無線装置１０は、スタンド１７を利用することで壁掛け状態に設置することも可能である。図２（ａ）は、この無線装置１０を壁掛け状態に設置した場合の俯瞰図である。図２（ｂ）は、この無線装置１０を壁掛け状態に設置した場合の側面図である。
【００２５】
本発明の第１の実施形態における無線装置１０は、アンテナ部としてのアンテナ１１１と、設置形態検出部としてのスタンド検出部１４１とを具備する。スタンド検出部１４１は、スタンド１７を接続するためのスタンド接続部を複数有するものである。無線装置１０の設置形態に応じて異なるスタンド接続部が用いられる。
【００２６】
図１では、無線装置１０の底部におけるスタンド接続部にスタンド１７が接続されることによって、無線装置１０を据置き可能にしている。
【００２７】
図２では、無線装置１０の背部におけるスタンド接続部にスタンド１７が接続されることによって、無線装置１０を壁掛け可能にしている。
【００２８】
このとき、スタンド１７は、据置きの場合と壁掛けの場合とで、同じものを用いても良いし、別々のものを用いても構わない。
【００２９】
図３は、本発明の第１の実施形態における無線装置１０の概略的な回路図である。この無線装置１０は、スタンド検出部１４１と、制御部１３と、アンテナ方向設定部１２と、無線回路部１５とを具備する。
【００３０】
スタンド検出部１４１は、制御部１３に接続されている。制御部１３は、アンテナ方向設定部１２に接続されている。アンテナ方向設定部１２は、アンテナ１１１に接続されている。無線回路部１５は、アンテナ方向設定部１２を介してアンテナ１１１に接続されている。ただし、無線回路部１５は、直接アンテナ１１１に接続されていても良い。
【００３１】
図４は、本発明の第１の実施形態におけるアンテナ方向設定方法を説明するためのフローチャートである。
【００３２】
このフローチャートは、スタンド１７を用いて無線装置１０を設置するステップ４００と、無線装置１０の設置形態を確認するステップ４０１と、無線装置１０の設置形態が据置きだった場合にアンテナ１を鉛直に設定するステップ４０２と、無線装置１０の設置形態が壁掛けだった場合にアンテナ１を傾けて設定するステップ４０３とを具備する。
【００３３】
ステップ４００において、スタンド１７が、無線装置１０に設置される。本発明のアンテナ方向設定方法は、このタイミングで開始しても良い。
【００３４】
ステップ４０１において、スタンド検出部１４１が、無線装置１０が有する複数のスタンド接続部のうちどれにスタンド１７が設置されているかを検出する。スタンド検出部１４１は、どのスタンド接続部にスタンド１７が接続されるかによって、無線装置１０の設置形態を検出する。スタンド検出部１４１は、無線装置１０の設置形態における検出結果を、設置形態検出信号として、制御部１３に向けて出力する。この例では、無線装置１０が据置きにされていればステップ４０２に進み、無線装置１０が壁掛けにされていればステップ４０３に進む。
【００３５】
なお、複数のスタンド接続部の具体的な構造について、特に制限は無い。例えば、それぞれのスタンド接続部は、スタンド１７が接続されたり取り外されたりすることで、所定の端子間の導通と非導通とが切り替わる構造であっても良い。
【００３６】
制御部１３は、その内部に予めテーブルを記憶している。このテーブルは、無線装置１０の各設置形態について、アンテナ部の最適な方向に係る情報を参照するためのものである。なお、無線装置１０の設置形態と、最適なアンテナ方向との組み合わせは、事前に調査済みであって、制御部１３が演算して求める必要の無いことが好ましい。
【００３７】
ステップ４０２において、制御部１３は、スタンド検出部１４１から出力される据置き状態用の設置形態検出信号を入力する。制御部１３は、テーブルに基づいて、設置形態検出信号に応じた据置き状態用のアンテナ方向設定信号を生成して出力する。
【００３８】
アンテナ方向設定部１２は、図示されないサーボを具備する。サーボは、アンテナ１１１の方向を変更するためのものであるが、その構造や動作について特に制限は無い。例えば、サーボは、外部から供給される信号に応じて回転するモータを具備して、このモータの回転によってアンテナ１１１の方向を変更する構造であっても良い。
【００３９】
アンテナ方向設定部１２は、制御部１３から出力される据置き状態用のアンテナ方向設定信号を入力する。アンテナ方向設定部１２は、サーボを用いて、アンテナ１１１の、無線装置１０に対する方向を、アンテナ方向設定信号に応じて、無線装置１０が据置き状態である場合に最適な垂直方向に設定する。
【００４０】
アンテナ方向設定部１２はさらに、同じく図示されないアンテナ方向検出部を具備しても良い。アンテナ方向検出部は、アンテナ１１１の方向を検出するためのものであるが、その構造や動作について特に制限は無い。アンテナ方向検出部は、例えば、アンテナ１１１と回転軸を共有する回転型ポテンショメータを用いたものであっても良い。この場合は、ポテンショメータで分圧された電圧を計測することでアンテナ１１１の角度を間接的に計測することが可能となる。
【００４１】
アンテナ方向設定部１２は、アンテナ方向検出部を用いて、アンテナ１１１の、無線装置１０に対する方向を検出しても良い。この検出の結果に応じて、アンテナ方向設定部１２は、アンテナ１１１の方向が変更されるを制御しても良い。その具体的な方法として、アンテナ方向設定部１２は、サーボが回転するのを制御しても良いし、または、制御部１３がアンテナ方向設定信号を出力するのを制御しても良い。
【００４２】
ステップ４０３の、ステップ４０２との違いは、無線装置１０が据置き状態ではなく壁掛け状態である点だけである。したがって、スタンド検出部１４１は壁掛け状態用の設置形態検出信号を出力し、制御部１３は壁掛け状態用のアンテナ方向設定信号を出力し、アンテナ方向設計部１２はアンテナ１１１の方向を壁に対して斜め、例えば４５度、に設定する。
【００４３】
図５は、本発明の第１の実施形態における無線装置１０が壁掛け状態に設置された場合における、アンテナ１１１が設定される最適な方向の一例を説明するための側面図である。
【００４４】
ステップ４０２またはステップ４０３においてアンテナ１１１の方向が設定されると、本発明のアンテナ方向設定方法における一連の動作は終了する。
【００４５】
無線回路部１５は、アンテナ１１１から出力するための無線信号を生成して出力する。無線信号は、アンテナ１１１に供給される。このとき、無線信号は、アンテナ方向設定部１２を介してアンテナ１１１に供給されても良いし、アンテナ方向設定部１２を介さずに直接アンテナ１１１に供給されても構わない。
【００４６】
無線回路部１５の具体的な構成について、特に制限は無い。ただし、本発明は、無線装置１０が、例えば、無線ＬＡＮルータ装置として動作する場合に、特にその効果を発揮する。これは、無線ＬＡＮルータ装置が一度設置されたらそのままの状態で使用されることが多く、したがって設置場所を変えることでアンテナ部の特性を改善するということが少ないからである。
【００４７】
なお、無線ＬＡＮルータ装置である場合を含めて、無線回路部１５の具体的な構成は、当業者にとっては良く知られており、さらに本発明の本質的な特徴には直接的な関係が無いので、その説明を省略する。
【００４８】
これまで、アンテナ１１１が１本である場合を説明したが、アンテナ１１１は複数本あっても良い。この場合、アンテナ方向設定部１２は、アンテナ１１１のそれぞれに対応して複数あっても良いし、１つのアンテナ方向設定部１２が複数のアンテナ１１１の方向を設定しても良い。
【００４９】
また、これまでアンテナ１１１が線状アンテナである場合を説明したが、アンテナ１１１は線状以外の、例えば平面状であったりパラボラ型であったりしても良い。この場合、無線装置１０が据置き状態に設置された場合と、壁掛け状態に設置された場合とで、アンテナ１１１の特性が最適化するための設定方向は当然異なるものとなる。アンテナ１１１における、形状と特性の最適化との関係は、本願発明の本質には直接的には関係せず、いわゆる当業者にとっては良く知られていることであるので、詳細な説明を省略する。
【００５０】
（第２の実施形態）
図６は、本発明の第２の実施形態における無線装置１０の、据置き状態に設置した場合の俯瞰図である。
【００５１】
図７は、本発明の第２の実施形態における無線装置１０の、横置き状態に設置した場合の俯瞰図である。
【００５２】
本実施形態における無線装置１０は、第１の実施形態における無線装置１０と比べると、設置形態検出部として、スタンド検出部１４１の代わりに角度センサー１４２を具備するものである。
【００５３】
図８は、本発明の第２の実施形態における無線装置１０の概略的な回路図である。この無線装置１０は、角度センサー１４２と、制御部１３と、アンテナ方向設定部１２と、アンテナ部としてのアンテナ１１１と、無線回路部１５とを具備する。
【００５４】
角度センサー１４２は、制御部１３に接続されている。制御部１３は、アンテナ方向設定部１２に接続されている。アンテナ方向設定部１２は、アンテナ１１１に接続されている。無線回路部１５は、アンテナ方向設定部１２を介して、アンテナ１１１に接続されている。なお、無線回路部１５と、アンテナ１１１とは、アンテナ方向設定部１２を介さずに直接的に接続されていても良い。
【００５５】
角度センサー１４２は、無線装置１０の設置形態を、無線装置１０の鉛直方向に対する角度データとして検出する。角度センサー１４２は、無線装置１０の設置角度データを出力する。なお、角度データとして、互いに直交する３方向の各成分をそれぞれ検出することが理想的ではあるが、無線装置１０の実際的な設置形態が限られていれば、方向成分は３つ以下でも良い場合もある。無線装置１０の設置形態が、例えば、図６の据置き状態と図７の横置き状態の、２種類のうちどちらかであると考えられる場合は、角度センサー１４２は１つの方向成分だけを持つ角度データを検出するだけで十分と言える。
【００５６】
制御部１３は、角度センサー１４２から出力される設置角度データを入力する。制御部１３は、入力した設置角度データに基づいて、アンテナ１１１の方向を設定するためのアンテナ方向設定信号を出力する。例えば、図６の据置き状態または図７の横置き状態のように、アンテナ１１１を鉛直に立てるための指示を、制御部１３がアンテナ方向設定信号として出力する。
【００５７】
アンテナ方向設定部１２は、制御部１３から出力されるアンテナ方向設定信号を入力する。アンテナ方向設定部１２は、アンテナ方向設定信号に応じて、アンテナ１１１の、無線装置１０に対する方向を設定する。
【００５８】
アンテナ１１１の方向が設定されると、無線装置１０における、アンテナ１１１の方向を設定する動作は終了する。
【００５９】
なお、無線回路部１５は、アンテナ部から出力するための無線信号を生成して出力する。無線信号は、アンテナ部としてのアンテナ１１１に供給される。
【００６０】
無線回路部１５のその他の特徴については、本発明の第１の実施形態と同じであるので、説明を省略する。
【００６１】
（第３の実施形態）
本発明の第３の実施形態による無線装置１０は、第１または第２の実施形態とは、アンテナ１１１の方向を設定する方法が異なる。本実施形態における制御部１３は、アンテナ１１１の方向を設定するための指示を、アンテナ方向設定部１２に向けて送信するのではなく、無線装置１０と無線通信する子機２０に向けて送信する。
【００６２】
図９は、本発明の第３の実施形態による無線装置１０の動作およびアンテナ方向設定方法について説明するための概略図である。
【００６３】
まず、第１または第２の実施形態と同じく、設置形態検出部としてのスタンド検出部１４１または角度センサー１４２が、無線装置１０の設置状態を検出する。この検出の結果は、設置形態検出信号として制御部１３に送信される。
【００６４】
次に、制御部１３は、無線装置１０の設置形態に応じて、アンテナ１１１の最適な方向を判断する。制御部１３の判断結果は、無線装置１０と無線通信する子機２０に通知される。
【００６５】
ここで、制御部１３の判断結果は、例えば、無線回路部１５に送られて、アンテナ１１１を介して、無線信号として子機２０に通知されることが好ましい。
【００６６】
制御部１３の判断結果は、子機２０に通知された後、子機２０から使用者に伝えられる。このとき、子機２０は、使用者に対して、表示装置２１などを用いて視覚的に伝えても良いし、図示しないスピーカーなどを用いて聴覚的に伝えても良い。
【００６７】
より具体的な例としては、本発明の無線装置１０を利用するために子機２０側で実行されるドライバプログラムなどが考えられる。この場合、子機２０において、本発明の無線装置１０との通信が行われるにあたって、所定のドライバプログラムが実行される。このとき、ドライバプログラムは自動的に実行されることが望ましい。本発明の無線装置１０は、子機２０からの要求にこたえて通信を開始するにあたって、制御部１３から所定の信号を、無線回路部１５とアンテナ部とを介して子機２０に送る。この信号を受け取ったドライバプログラムは、制御部１３からの信号に応じて、アンテナの最適方向を、視覚的または聴覚的に、使用者に伝える。
【００６８】
ここで、子機２０から使用者に伝える内容としては、次のような例が考えられる。設置形態検出部１４によって、無線装置１０が壁掛けにされていることが検出された場合は、「無線装置を設置した壁に、金属物が含まれている場合は、アンテナを４５度に傾けて下さい。金属物が含まれていない場合は、アンテナを鉛直に立てて下さい。」などの通知を、子機２０から使用者に伝えることが好ましい。使用者にとってより分かりやすくするために、同じ通知内容を、子機２０の表示装置２１を用いて図示することが望ましい。また、同時に、同じ通知内容を音声として流しても良い。
【００６９】
本発明のこの実施形態においては、使用者が手動でアンテナ１１１の方向を調節可能である。したがって、アンテナ方向設定部１２には、アンテナ１１１の方向を設定するためのサーボやモーターが不要となり、単なる関節であっても良い。
【００７０】
（第４の実施形態）
本発明の第４の実施形態による無線装置１０は、第１〜第３の実施形態とはアンテナ部の方向を設定する方法が異なる。本実施形態では、アンテナ部として、方向を変更可能な１つの可動式アンテナ１１１ではなく、それぞれ方向の異なる複数の固定式アンテナ１１２、１１３を用いる。また、本実施形態では、アンテナ方向設定部１２として、１つの可動式アンテナ１１１の方向を変更するためのサーボ１２２ではなく、無線回路部１５への接続先を複数の固定式アンテナ１１２、１１３から選択するためのアンテナ切り換えスイッチ１２３を用いる。
【００７１】
図１０は、本発明の第４の実施形態による無線装置１０の設置形態の例を説明するための側面図である。この図において、無線装置１０は、基板１６と、無線回路部１５と、アンテナ方向設定部１２としてのアンテナ切換スイッチ１２３と、アンテナ部としての第１の内蔵アンテナ１１２および第２の内蔵アンテナ１１３と、スタンド１７とと、図示されない設置形態検出部１４としてのスタンド検出部１４１とを具備する。なお、内蔵アンテナ１１２、１１３の数は、２つに限定されず、２つ以上であっても構わない。
【００７２】
基板１６上の無線回路部１５は、アンテナ切換スイッチ１２３を介して、第１の内蔵アンテナ１１２および第２の内蔵アンテナ１１３に接続されている。なお、アンテナ切換スイッチ１２３の切換状態に制限は特に無い。例えば、無線回路部１５が第１の内蔵アンテナ１１２だけに接続されるスイッチ状態があっても良いし、第２の内蔵アンテナ１１３だけに接続されるスイッチ状態があっても良い。同様に、両方の内蔵アンテナ１１２、１１３に接続されるスイッチ状態があっても良い。さらに、内蔵アンテナが２つ以上であったら、あらゆる接続の組み合わせのスイッチ状態があって良い。
【００７３】
無線装置１０は、スタンド１７を介して、壁掛けの状態で設置されている。スタンド１７は、図示されない設置形態検出部１４としてのスタンド検出部１４１に接続されており、無線装置１０の設置形態が壁掛け状態であることが検出される。
【００７４】
この実施形態におけるアンテナ方向設定部１２は、複数の内蔵アンテナ１１２、１１３と無線回路部１５との接続を切り替えるためのアンテナ切換スイッチ１２３を具備する。すなわち、本発明の第４の実施形態においては、アンテナ部の特性を変更するために、複数のアンテナのうち一部を用いるダイバーシティ切換を行う。
【００７５】
図１０の例では、第１の内蔵アンテナ１１２は、無線装置１０が据置きの状態に設置された場合に最適なアンテナ特性が得られるように配置されている。反対に、第２の内蔵アンテナ１１３は、無線装置１０が壁掛けの状態に設置された場合に壁の影響を受けにくいように配置されている。
【００７６】
この図では、無線装置１０が壁掛けの状態に設置されている。したがって、アンテナ切換スイッチ１２３は、無線回路部１５を第２の内蔵アンテナ１１３に接続するような状態になることが望ましい。
【００７７】
図１１は、本発明の第４の実施形態による無線装置１０の構成を説明するためのブロック図である。この実施形態における無線装置１０は、アンテナ部として２つの内蔵アンテナ１１２、１１３を具備し、アンテナ方向設定部１２としてアンテナ切換スイッチを具備する。無線装置１０の構成におけるその他の特徴については、第１の実施形態と同様であるので、説明を省略する。ここで、内蔵アンテナの数は２つに限定されず、２つ以上でも良い。
【００７８】
なお、この切換は、無線装置１０と子機２０との通信が確立する前に一度行われるが、その後の通信中にもさらに繰り返すことが可能である。すなわち、無線回路部１５と、複数の内蔵アンテナ１１２、１１３との接続関係を、電波状況に応じて切り換えても良い。これはいわゆるダイバーシティ方式であるが、本発明の本質と直接的には関係しないので、これ以上の説明を省略する。
【００７９】
なお、これまでに説明した複数の実施形態は、技術的に矛盾しない範囲において、自由に組み合わせることが可能である。
【００８０】
第１の実施形態を基本形と捉えると、第２の実施形態では、設置形態検出部１４として、スタンド検出部１４１の代わりに角度センサー１４２を用いた。
【００８１】
第３の実施形態では、アンテナ方向設定部１２としてのサーボ１２２で自動的にアンテナの方向を設定する代わりに子機２０の表示装置２１で使用者によるアンテナの設定方向を通知する手法を用いた。
【００８２】
第４の実施形態では、アンテナ部として、その方向をアンテナ方向設定部１２のサーボ１２２によって物理的に設定変更可能なアンテナ１１１を用いる代わりに、アンテナ切換スイッチ１２３で接続を切換可能で設置方向が異なる複数のアンテナ１１２、１１３を用いた。
【００８３】
これら３種類の変更は、それぞれ独立であって、自由な組み合わせが可能である。
【図面の簡単な説明】
【００８４】
【図１】図１は、本発明の第１の実施形態における無線装置の概観図である。図１（ａ）は、この無線装置を据置き状態に設置した場合の俯瞰図である。図１（ｂ）は、この無線装置を据置き状態に設置した場合の側面図である。
【図２】図２は、本発明の第１の実施形態における無線装置の概観図である。図２（ａ）は、この無線装置を壁掛け状態に設置した場合の俯瞰図である。図２（ｂ）は、この無線装置を壁掛け状態に設置した場合の側面図である。
【図３】図３は、本発明の第１の実施形態における無線装置の概略的な回路図である。
【図４】図４は、本発明の第１の実施形態におけるアンテナ方向設定方法を説明するためのフローチャートである。
【図５】図５は、本発明の第１の実施形態における無線装置が壁掛け状態に設置された場合における、アンテナが設定される最適な方向の一例を説明するための側面図である。
【図６】図６は、本発明の第２の実施形態における無線装置の、据置き状態に設置した場合の俯瞰図である。
【図７】図７は、本発明の第２の実施形態における無線装置の、横置き状態に設置した場合の俯瞰図である。
【図８】図８は、本発明の第２の実施形態における無線装置の概略的な回路図である。
【図９】図９は、本発明の第３の実施形態による無線装置の動作およびアンテナ方向設定方法について説明するための概略図である。
【図１０】図１０は、本発明の第４の実施形態による無線装置の設置形態の例を説明するための側面図である。
【図１１】図１１は、本発明の第４の実施形態による無線装置の構成を説明するためのブロック図である。
【符号の説明】
【００８５】
１０  無線装置
１１  アンテナ部
１１１  可動アンテナ
１１２  第１の内蔵アンテナ
１１３  第２の内蔵アンテナ
１２  アンテナ方向設定部
１２１  アンテナ方向検出部
１２２  サーボ
１２３  アンテナ切換スイッチ
１３  制御部
１３１  テーブル
１４  設置形態検出部
１４１  スタンド検出部
１４２  角度センサー
１５  無線回路部
１６  基板
１７  スタンド
２０  子機
２１  表示装置
【図１】
2010021679.tif 000003
【図２】
2010021679.tif 000004
【図３】
2010021679.tif 000005
【図４】
2010021679.tif 000006
【図５】
2010021679.tif 000007
【図６】
2010021679.tif 000008
【図７】
2010021679.tif 000009
【図８】
2010021679.tif 000010
【図９】
2010021679.tif 000011
【図１０】
2010021679.tif 000012
【図１１】
2010021679.tif 000013